(57)【要約】【課題】外壁の補修に際し、接着剤の注入前に、外壁仕上げ材層とコンクリート躯体との間に生じた隙間を狭めないようにした外壁補修用アンカーピンを提供すること。【解決手段】アンカーピンは、ピン主体１０、軸体２０、拡開コーン３０からなる。ピン主体１０は基端に軸体２０を挿入する軸体挿入口１１を形成すると共に先端に先端拡開部１２を形成する。ピン主体１０の内周面と軸体２０の外周面に凹凸形状歯体１５，２２を形成する。補修する外壁仕上げ材層からコンクリート躯体に向かってあけた施工穴に接着剤を注入して接着剤を外壁仕上げ材層とコンクリート躯体の間に生じた隙間に注入する。次にアンカーピンを施工穴に挿入し、軸体を叩打して拡開コーンによってピン主体の先端を拡開し、アンカーピンをコンクリート躯体に固着すると共に軸体の基端拡径部によって外壁仕上げ材層を押付け固定する。【選択図】      図１
2005023550.tif 000002
【特許請求の範囲】
【請求項１】
アンカーピンが、ピン主体（１０）、軸体（２０）、拡開コーン（３０）からなり、上記ピン主体は基端に上記軸体を挿入する軸体挿入口を形成すると共に先端に先端拡開部を形成し、上記ピン主体の内周面と上記軸体の外周面に凹凸形状歯体（１５，２２）を形成し、補修する外壁仕上げ材層からコンクリート躯体に向かってあけた施工穴に接着剤を注入して該接着剤を外壁仕上げ材層とコンクリート躯体の間に生じた隙間に注入した後、上記アンカーピンを上記施工穴に挿入し、上記軸体を叩打して上記拡開コーンによって上記ピン主体の先端を拡開してコンクリート躯体に固着すると共に当該軸体の基端拡径部によって外壁仕上げ材層を押付けて固定することを特徴とする外壁補修用アンカーピン。
【請求項２】
ピン主体（１０）の内周面および軸体（２０）の外周面に形成した凹凸形状歯体（１５，２２）が、ラチェット型歯体であることを特徴とする請求項１に記載の外壁補修用アンカーピン。
【請求項３】
ピン主体（１０）の内周面および軸体（２０）の外周面に形成した凹凸形状歯体（１５，２２）が、ネジ形状であることを特徴とする請求項１に記載の外壁補修用アンカーピン。
【発明の詳細な説明】
【０００１】
【発明の属する技術分野】
本発明は、コンクリート躯体の表面に施工されたモルタル又はタイルなどの外壁となる外壁仕上げ材層の浮きを補修するための外壁補修用アンカーピンに関している。
【０００２】
【従来の技術】
コンクリート躯体の表面に施工された外壁仕上げ材層がコンクリート躯体から剥離して浮き（隙間）が生じた時に、これを放置しておくと、外壁仕上げ材層はやがて躯体表面から剥落する危険がある。従来から、外壁仕上げ材層とコンクリート躯体の隙間にエポキシ樹脂などによる接着剤を注入して剥離の進行を防ぎ、外壁仕上げ材層が躯体表面から剥落する危険を回避する工事がなされており、接着剤を注入するためのアンカーピンの開発もなされている。
【０００３】
アンカーピンを使用する外壁補修工事は、古くは、外壁からコンクリート躯体に向かって施工穴をあけ、施工穴内にエポキシ樹脂などによる接着剤を注入して施工穴および外壁と躯体の隙間に接着剤を注入し、さらに接着剤を注入した施工穴内に全ネジボルトを差し込み、接着剤が硬化すると外壁と躯体が固着されるものであった。通常、これらの工事に使用するエポキシ樹脂は、２液混合タイプが多いので、仮に配合ミスなどによって接着剤が硬化しなかった場合は、外壁と躯体を機械的に固着していないことが原因で、接着部分から再び剥離が進行してしまうという問題があった。
【０００４】
上記問題点を解決するために、外壁からコンクリート躯体にあけた施工穴に差し込むアンカーピンを管状に形成し、同時にアンカーピンは、先端に拡開構造を形成し、基端にコーン形状を備えたものとした。そして、アンカーピンは外壁からコンクリート躯体に向かってあけた施工穴に最初に打込み、エポキシ樹脂は打ち込まれたアンカーピンの管内を通して施工穴および隙間に注入していた。この工事は、アンカーピンが外壁と躯体を機械的に固着しているので、上記問題点が解決されており、近年の外壁補修工事は専らこの工法が採用されている。
【０００５】
しかし、管状に形成されたアンカーピンは、ピンを打ち込む力の反力をピンの基端部で受けているので、ピンを打ち込む時に基端部となるコーン形状部分が外壁を押さえ付けるので、外壁とコンクリート躯体の隙間を狭めてしまうということが見られた。このため、アンカーピンの打ち込み後に行うエポキシ樹脂の注入状態が良好でなく、外壁と躯体との隙間に補修に必要な量の樹脂が注入できないという新たな問題が生じてきた。
【０００６】
【特許文献１】
実開昭６０−１２３４１５号公報
【０００７】
特許文献１に記載の考案は、第６図に補修工事の施工状態が示されているが、モルタル外壁２０からコンクリート躯体２１にあけた下穴２２に補修用ピン１を挿入し（第６図Ａ）、打込棒９を使用して補修用ピン１の先端を拡開して躯体に固着しているが（第６図Ｂ）、この時、打込棒９は補修用ピン１の基端を叩いているので、補修用ピン１の基端部がモルタル外壁２０を躯体２１に向かって押し付け、モルタル外壁２０をコンクリート躯体２１との隙間２３を狭めてしまうことがあった。
【０００８】
上記したように、外壁補修工事はモルタル外壁２０をコンクリート躯体２１との間に生じた隙間２３に接着剤を注入することであるから、接着剤の注入前に隙間２３が狭まっていたのでは、補修に必要な量の接着剤を当該隙間２３に注入することができないことになる。すなわち、剥離が生じている隙間に必要量の接着剤を注入することができないと、外壁とコンクリート躯体を接着剤によって付着させることができないことになる。また、一方では、モルタル外壁やタイル等による外壁仕上げ材の厚み（施工穴の深さ）によって、それに適した長さのアンカーピンをその都度用意しなければならないため、余分な手数とコストを要するといった問題があった。
【０００９】
【発明が解決しようとする課題】
本発明が解決しようとする課題は、外壁仕上げ材層の補修に際し、外壁仕上げ材層からコンクリート躯体にあけた施工穴に接着剤を注入してから補修用アンカーピンを打ち込むものであって、接着剤の注入前に外壁仕上げ材層とコンクリート躯体との間に生じた隙間を狭めないようにして、補修に必要な量の接着剤を注入できるようにした外壁補修用アンカーピンを提供するものである。
【００１０】
【課題を解決するための手段】
解決手段の第１は、アンカーピンが、ピン主体、軸体、拡開コーンからなり、上記ピン主体は基端に上記軸体を挿入する軸体挿入口を形成すると共に先端に先端拡開部を形成し、上記ピン主体の内周面と上記軸体の外周面に凹凸形状歯体を形成し、補修する外壁仕上げ材層からコンクリート躯体に向かってあけた施工穴に接着剤を注入して該接着剤を外壁仕上げ材層とコンクリート躯体の間に生じた隙間に注入した後、上記アンカーピンを上記施工穴に挿入し、上記軸体を叩打して上記拡開コーンによって上記ピン主体の先端を拡開してコンクリート躯体に固着すると共に当該軸体の基端拡径部によって外壁仕上げ材層を押付けて固定することを特徴とする。
解決手段の第２は、ピン主体の内周面および軸体の外周面に形成した凹凸形状歯体が、ラチェット型歯体であることを特徴とする。
解決手段の第３は、ピン主体の内周面および軸体の外周面に形成した凹凸形状歯体が、ネジ形状であることを特徴とする。
【００１１】
【発明の実施の形態】
図１は本発明に係る外壁補修用アンカーピンを示し、図２は他の実施形態による外壁補修用アンカーピンを示し、図３は外壁補修用アンカーピンの施工手順を示し、図４は施工完了時におけるアンカーピン全体の長さを比較した図である。
【００１２】
図１において、アンカーピン１は、ピン主体１０、軸体２０、拡開コーン３０からなっている。ピン主体１０は、板材をパイプ状に曲げ加工したもの、パイプ材から形成したもの等であるが、実施形態では、板材をパイプ状に曲げ加工したものである。また、ピン主体１０は、基端に軸体２０を挿入するための軸体挿入口１１に形成し、先端を先端拡開部１２に形成したものである。
【００１３】
ピン主体１０の先端拡開部１２は、ピンの先端からピン主体全長の略３分の１程度の長さに形成しており、先端からピン中心に向かってスリット１３が形成されている。スリット１３は、３本であり、１本は板材をパイプ状に曲げ加工した時の板材どうしの接合部であり、他の２本は１２０°位相の位置に形成されている。なお、それぞれのスリット１３は、先端拡開部１２の拡開角度を規制するためにスリット終端部に小孔１４を形成している。
【００１４】
また、ピン主体１０は、上記先端拡開部１２を形成した残りの部分のパイプ内周面に、凹凸形状内歯体１５を形成している。実施形態において、凹凸形状内歯体１５はラチェット型歯体である。
【００１５】
上記軸体２０は、基端に皿ねじの頭部に相当する形状を有する基端拡径部２１を形成し、軸部は、ピン主体１０の内周面に形成した凹凸形状内歯体１５と同じ形状の凹凸形状外歯体２２を形成したものである。実施形態において、凹凸形状外歯体２２はラチェット型歯体である。また、軸体２０は、ピン主体１０の凹凸形状内歯体１５の長さより若干長めに形成する。
【００１６】
３０はピン主体１０の先端拡開部１２に装着する拡開コーンであって、先端拡開部１２の内周と略同径の軸部３１とコーンナット３２を一体に形成したものであり、軸部３１をピン主体１０の先端拡開部１２に装着するものである。
【００１７】
実施形態において、ピン主体１０の内周面に形成した凹凸形状内歯体１１５と軸体２０の軸部に形成した凹凸形状外歯体２２を、いずれも歯体がラチェット歯体形状に似せて形成したのは、両者を結合した時に、引張り方向に離脱しないようにするためのものであるから、結合状態が確保できれば、図２に示すように、凹凸形状内歯体１５ａ及び凹凸形状外歯体２２ａがネジ形状であってもよい。
【００１８】
図３において、４０はコンクリート躯体、４１はコンクリート躯体４０の表面に形成したモルタル又はタイルなどによる外壁仕上げ材層、４２はコンクリート躯体４０と仕上げ材層４１との間に生じた隙間（浮き）であり、以下、同図を参照して外壁補修工事の手順を説明する。
【００１９】
まず、コンクリート躯体４０と外壁仕上げ材層４１の間に生じた隙間４２に、当該外壁仕上げ材層４１からコンクリート躯体４０に向かって施工穴４３をあける。次いで該施工穴４３に、エポキシ樹脂などによる接着剤５０を注入し、接着剤５０を施工穴４３だけでなく、コンクリート躯体４０と外壁仕上げ材層４１の隙間にも注入する（図３Ａ）。
【００２０】
次に、接着剤５０が注入された施工穴４３に、アンカーピン１を挿入するのであるが、アンカーピン１は、予めピン主体１０の基端から軸体２０を挿入し、先端に拡開コーン３０を装着しておく。組み立てられたアンカーピン１は、拡開コーン３０を施工穴４３の奥部に向けて挿入し、施工穴４３の底に当該拡開コーン３０が達するまで挿入する（図３Ｂ）。
【００２１】
続いて、外壁仕上げ材層４１から突出しているアンカーピン１の軸体２０を叩打する。これにより、軸体２０がピン主体１０内に進入すると共に、ピン主体１０自体が施工穴４３の奥に向かって進入し、先端が、既に施工穴４３の底に達している拡開コーン３０のコーンナット３２に乗り上げ、先端拡開部１２が拡開してコンクリート躯体４０に固着される。軸体２０は、外壁仕上げ材層４１の表面と同じ位置に達するまで打ち込みを続け、基端拡径部２１が外壁仕上げ材層４１の表面と面一になったところで施工作業が完了する（図３Ｃ）。
【００２２】
施工されたアンカーピンは、軸体２０の基端拡径部２１が外壁仕上げ材層４１を押さえ付け、拡開コーン３０を伴って先端拡開部１２がコンクリート躯体４０に固着されるので、当該アンカーピン１は、外壁仕上げ材層４１とコンクリート躯体４０に対し機械的に結合する。この時、軸体２０とピン主体１０は、それぞれに形成された凹凸形状外歯体２２並びに凹凸形状内歯体１５が噛み合っているから、両者の引張り方向に対して抵抗力が高く、両者は容易に離脱することがない。また、アンカーピン１を施工穴４３に打ち込み前に、コンクリート躯体４０と外壁仕上げ材層４１の隙間４２に接着剤５０を注入しているから、補修に必要な量の接着剤５０が注入されており接着剤不足による工事不備が解消される。
【００２３】
図４は、アンカーピンの施工完了時におけるアンカーピン全体の長さの比較をした状態を示しており、Ａ，Ｂ共に軸体２０をピン主体１０に挿入して施工が完了した状態を示している。外壁補修工事にあっては、コンクリート躯体４０にあける施工穴４３の深さが一定以上になるように要求されている。このため、外壁補修工事に際しアンカーピンは、補修する外壁仕上げ材層が厚い場合と薄い場合とにより、アンカーピン全体、特にピン主体の長さが異なるものを用意する必要があった。
【００２４】
実施形態のアンカーピンは、ピン主体１０に軸体２０を挿入する構成としたものであるから、ピン主体１０及び軸体２０を共用部品として使用できるので、外壁仕上げ材層４１の厚みが異なる現場であっても一種類で補修工事ができるものとなっている。
【００２５】
【発明の効果】
本発明は、外壁仕上げ材層からコンクリート躯体にあけた施工穴に接着剤を注入してから補修用のアンカーピンを打ち込むものであって、接着剤の注入前に外壁仕上げ材層とコンクリート躯体との間に生じた隙間を狭めないから、外壁補修工事に必要な量の接着剤を外壁仕上げ層と躯体の隙間に注入することができると共に仕上げ層と躯体を機械的に固着できるので、仮に接着剤が何らかの原因で硬化しなかった場合であっても、接着部から再度剥離することを防止できるものである。
【００２６】
本発明は、ピン主体と軸体に形成した凹凸形状歯体の機能により、施工穴の深さに応じてアンカーピンを確実に施工することができるものである。また、施工穴の底部にアンカーピンが達した状態で拡開部を拡開させるので、コンクリート躯体に必要なアンカーピンの埋め込み深さが確保でき、補修工事の確実性と安全性を図ることができるものである。
【図面の簡単な説明】
【図１】外壁補修用アンカーピンを示しており、Ａは全体の一部断面図、Ｂは部品図。
【図２】他の実施形態による外壁補修用アンカーピンを示す一部断面図。
【図３】施工作業の手順を示す断面図。
【図４】施工完了時における外壁補修用アンカーピン全体の長さを比較した各アンカーピンを示す一部断面図。
【符号の説明】
１    アンカーピン
１０  ピン主体
１１  軸体挿入口
１２  先端拡開部
１３  スリット
１４  小孔
１５  凹凸形状内歯体
２０  軸体
２１  基端拡径部
２２  凹凸形状外歯体
３０  拡開コーン
３１  軸部
３２  コーンナット
４０  コンクリート躯体
４１  仕上げ材層
４２  隙間
４３  施工穴
５０  接着剤
【図１】
2005023550.tif 000003
【図２】
2005023550.tif 000004
【図３】
2005023550.tif 000005
【図４】
2005023550.tif 000006